(57)【特許請求の範囲】
【請求項１】
ディスクに記憶されている音声データを再生していない非再生時期に、テキスト情報を読み出すテキスト情報読み出し手段と、読み出した上記テキスト情報を外部表示装置に出力するテキスト情報出力手段とを備え、
上記非再生時期は、上記音声データの再生中に一時停止を行っている時期を含むものとし、上記テキスト読み出し手段は、上記一時停止の要求後に、上記テキスト情報を読み出し、
上記一時停止を要求した際の再生位置と上記テキスト情報を記憶している記憶エリアの位置との距離が所定距離以内であるか否かを判別する再生位置判別手段をさらに備え、その判別の結果、所定距離以内の場合に、上記テキスト読み出し手段は、上記テキスト情報を読み出すことを特徴とするＣＤプレーヤ。
【請求項２】
前記非再生時期は、前記ディスクを駆動させてＴＯＣ情報を読み込んだ後の時期を含むものとし、上記ＴＯＣ情報を読み込んだ直後に、使用者からの前記音声データの再生要求の有無を判別する再生要求判別手段を備え、上記判別の結果、上記再生要求がない場合に、前記テキスト読み出し手段は、前記テキスト情報を読み出すことを特徴とする請求項１記載のＣＤプレーヤ。
【請求項３】
前記非再生時期は、前記音声データの再生を終えた後の時期を含むものとし、前記テキスト読み出し手段は、上記音声データの再生を終えた後に、前記テキスト情報を読み出すことを特徴とする請求項１または２に記載のＣＤプレーヤ。
【請求項４】
前記外部表示装置は、ＭＤプレーヤであることを特徴とする請求項１から３のいずれか１項記載のＣＤプレーヤ。
【発明の詳細な説明】
【０００１】
【発明の属する技術分野】
本発明は、音声データを再生していない時期を利用して、テキスト情報を読み出し、これを外部表示装置に出力するＣＤプレーヤに関する。
【０００２】
【従来の技術】
コンパクトディスク（以後、「ＣＤ」という）には、ミュージック等に代表される音声データの他に、ＴＯＣ情報およびテキスト情報といった付随情報も記録されている。ＴＯＣ情報とは、複数の音声データのサーチをしやすくしたり、各音声データの再生時間を知らせるためのインデッックス情報であり、具体的には、再生時間、番地、最大あるいは最小トラック数等の情報をいう。
【０００３】
一方、テキスト情報とは、ＴＯＣ情報以外の様々な文字情報をいい、ディスクのタイトル、各トラック毎のタイトル、アーティスト名、演奏者名あるいは各種メッセージ等の情報をいう。これらのテキスト情報をＣＤプレーヤに表示させることによって、より魅力のあるミュージックを楽しむことができるようになっている。
【０００４】
図５は、ＴＯＣ情報とテキスト情報が記録されるＣＤの場所を模式的に示す図である。両情報とも、ＣＤの内側を占めるリードインエリア５０に記録されている。ＴＯＣ情報は、リードインエリアのＱというサブコードに、ＴＯＣ情報ルート５１として書き込まれている。また、テキスト情報は、同エリアのＲ〜Ｗのサブコードに、テキスト情報ルート５２として書き込まれている。テキスト情報は、一般にＴＯＣ情報よりデータ量が多いので、テキスト情報ルート５２は、ＴＯＣ情報ルート５１よりも長い。ＣＤ中の音声データを再生する場合、再生に先立ち、このリードインエリア５０にあるＴＯＣ情報とテキスト情報が読み出されるようになっている。
【０００５】
しかし、テキスト情報をＣＤプレーヤに表示させるためには、最低でも英語、数字、記号の情報を表現しうる５×７ドット表示管やドット表示ドライバＩＣが必要となる。また、前述のように、テキスト情報のデータ量は、ＴＯＣ情報のそれに比べると極めて大きい。このため、ＣＤプレーヤに、ＳＲＡＭ等の広いメモリ領域を持つＲＡＭを装備する必要がある。この結果、ＣＤプレーヤのコストアップを引き起こすことになる。
【０００６】
そこで、ＣＤプレーヤから、ＭＤプレーヤのような外部表示装置にテキスト情報を送り、ＭＤプレーヤ側でテキスト情報を表示させる方法が採られている。以後、説明を簡単にするため、外部表示装置をＭＤプレーヤとして説明する。ＭＤプレーヤには、元々、大容量ＲＡＭおよび広面積の表示部を実装している。これらのハード資源を有効に利用することで、ＣＤプレーヤのコストアップを防止している。
【０００７】
【発明が解決しようとする課題】
しかし、ＭＤプレーヤで、ＣＤに記録されているテキスト情報を出力するには、大きな課題がある。ＣＤプレーヤには、ＴＯＣ情報のような小容量データをデコードするデコード回路を有していても、低コスト化の要請によって、ＴＯＣ情報より大容量のテキスト情報をデコードするデコーダを持ち合わせていない。したがって、テキスト情報は、ＭＤプレーヤのデコーダにてデコードされることになる。
【０００８】
ここで、ＣＤプレーヤが一度にテキスト情報を全て読み出し、これをＭＤプレーヤに送信することができれば問題はない。しかし、テキスト情報はそのデータ量も大きいため、ＣＤプレーヤから小出しで送るしかない。そうなると、ＭＤプレーヤは、そのデコードのタイミングがわからない。また、ＣＤプレーヤは、リードインエリア５０をどのくらいの時間再生すれば良いかもわからない。加えて、テキスト情報の量は、ディスクによってまちまちである。
【０００９】
このため、図６に示すように、ＣＤプレーヤ６０からＭＤプレーヤ６１に向けてテキスト情報を送信するための光デジタル信号線６２の他に、専用の通信線６３を必要とする。専用の通信線６３とは、ＭＤプレーヤ６１からＣＤプレーヤ６０にリードインエリアのサーチと再生を指示すると共に、テキスト情報が揃った後に、リードインエリアの再生を終了する指示をするための通信線である。
【００１０】
しかし、この専用の通信線６３が必須となると、ＣＤプレーヤ６０とＭＤプレーヤ６１が、異なるメーカーの製品の場合には、互換性がなく専用の通信を行うことはできないという問題が生じる。また、専用の通信を行いながら、ＣＤプレーヤ６０からＭＤプレーヤ６１にテキスト情報を送る方法では、双方のプレーヤ６０，６１間の制御処理が難しくなる。ＣＤプレーヤ６０の都合で一方的に、かつできるだけ多くのテキスト情報をＭＤプレーヤ６１に送るのが好ましい。
【００１１】
本発明は、上記課題に鑑みてなされたものであり、ＣＤプレーヤとテキスト情報の出力先となる外部表示装置との間の製品の互換性がなくても、テキスト情報を出力した音声データを楽しむことができるＣＤプレーヤを提供することを、目的とする。
【００１２】
【課題を解決するための手段】
上記目的を達成すべく、請求項１記載のＣＤプレーヤは、ディスクに記憶されている音声データを再生していない非再生時期に、テキスト情報を読み出すテキスト情報読み出し手段と、読み出したテキスト情報を外部表示装置に出力するテキスト情報出力手段とを備え、非再生時期は、音声データの再生中に一時停止を行っている時期を含むものとし、テキスト読み出し手段は、一時停止の要求後に、テキスト情報を読み出すようにし、一時停止を要求した際の再生位置とテキスト情報を記憶している記憶エリアの位置との距離が所定距離以内であるか否かを判別する再生位置判別手段をさらに備え、その判別の結果、所定距離以内の場合に、テキスト読み出し手段は、テキスト情報を読み出すようにしている。このため、ディスクの音声データが再生されていない時間を利用して、テキスト情報を再生し、外部表示装置に出力することができる。したがって、外部表示装置におけるデコードよりもＣＤプレーヤにおけるテキスト情報の再生時間が少ないといった不都合をなくすことができ、専用線は不要となる。特に、一時停止の要求を出したときを利用して、テキスト情報の読み出しができる。加えて、再生中のトラックの位置と、テキスト情報が記録されているエリアが近い場合にのみ、一時停止中にテキスト情報が読み出しされる。したがって、使用者が一時停止を解除して再生要求をした時でも、不自然がないタイミングの早さで、音声データの再生ができる。
【００１３】
また、請求項２記載の発明は、請求項１記載のＣＤプレーヤにおいて、非再生時期は、ディスクを駆動させてＴＯＣ情報を読み込んだ後の時期を含むものとし、ＴＯＣ情報を読み込んだ直後に、使用者からの音声データの再生要求の有無を判別する再生要求判別手段を備え、判別の結果、再生要求がない場合に、テキスト読み出し手段は、テキスト情報を読み出すようにしている。これによって、ディスク駆動開始直後から再生要求がない場合に、ディスクをすぐ停止するのではなく、停止までの時間を少しだけ延長して、その延長時間を利用してテキスト情報を読み出すことができる。したがって、音声データを再生しないにもかかわらずディスクが回転しているという違和感を使用者に与えずに、有効にテキスト情報を読み出すことができる。ここで、延長時間を、外部表示装置がテキスト情報を読み出すのに十分な時間とするのが好ましい。
【００１６】
また、請求項３記載の発明は、請求項１または２に記載のＣＤプレーヤにおいて、非再生時期は、音声データの再生を終えた後の時期を含むものとし、テキスト読み出し手段は、音声データの再生を終えた後に、テキスト情報を読み出すようにしている。このため、音声データの再生終了からディスクの停止までの間を少し延長して、その延長時間を利用したテキスト情報の読み出しが可能となる。なお、延長時間は、外部表示装置がテキスト情報を読み出すのに十分な時間とするのが好ましい。
【００１７】
また、請求項４記載の発明は、請求項１から３のいずれか１項記載のＣＤプレーヤにおいて、外部表示装置を、ＭＤプレーヤとするようにしている。このため、元々、大容量のＲＡＭとメッセージ等の表示装置を有するＭＤプレーヤを有効利用できる。
【００１８】
【発明の実施の形態】
以下、本発明に係るＣＤプレーヤの実施の形態について、図面に基づいて説明する。
【００１９】
図１は、ＣＤプレーヤの主な構成部を示すブロック図である。ＣＤプレーヤは、キー部１と、マイコン２と、ディスプレイ３と、ＣＤローディングメカ・ピックアップメカニズム４と、ＣＤ用デジタルシンクロプロセッサ（以後、「ＣＤ用ＤＳＰ」という）５と、ＤＡＣ６と、光デジタル音声出力端子７と、アナログ音声出力端子８とから構成される。
【００２０】
キー部１は、ＣＤプレーヤの操作キーである。具体的には、再生、停止、スキップ、一時停止等のボタンが、該当する。マイコン２は、ＣＤを再生する等の各種コントロール処理を行う部分である。マイコン２は、テキスト情報読み込み手段と、テキスト情報出力手段と、再生要求判別手段と、再生位置判別手段とを兼ねている。また、マイコン２は、後述するＣＤ用ＤＳＰ５を介して、ＴＯＣ情報を表示させる指示を出す。また、マイコン２は、キー部１から入力された信号に基づいて、ＣＤ用ＤＳＰ５に入力信号を送る。
【００２１】
ディスプレイ３は、７セグメント方式のデジタル表示可能な表示部分である。ここには、ＴＯＣ情報が表示される。ＣＤローディングメカ・ピックアップメカニズム４は、ＣＤの出し入れメカニズムと、ディスクに向けて発光したり、ディスクから反射した光を受光するピックアップと、ピックアップを駆動する駆動部と、ＣＤを回転させるモータと、ＲＦ信号ＬＳＩ等を含む。
【００２２】
ＣＤ用ＤＳＰ５は、ＣＤから読み出した音声データをデコードする部分である。また、ＴＯＣ情報もデコードされる。ただし、テキスト情報については、主に、外部表示装置としてのＭＤプレーヤでデコードするようにしている。また、ＣＤ用ＤＳＰ５は、テキスト情報や音声データ等を、光デジタル音声出力端子を通じて送信する。ＤＡＣ６は、デジタルアナログコンバータであり、デジタル信号をアナログに変換する。なお、外部表示装置は、ＣＤプレーヤとＭＤプレーヤが一体化し、かつ表示部が複数に分かれているオーディオ装置の場合でも、ＭＤプレーヤを含むものとする。
【００２３】
光デジタル音声出力端子７は、デコードした音声データ、テキスト情報を出力する端子である。音声データおよびテキスト情報は、この端子７からＭＤプレーヤに送信される。また、アナログ音声出力端子８は、ＤＡＣ６を介して得られたアナログ信号の出口であり、アンプ入力や、イヤホーンあるいはヘッドホーン等を接続して音声データを聞くための端子である。
【００２４】
次に、音声データを再生していない非再生時期において、テキスト情報を読み出す処理の流れを、ローディング開始時、一時停止要求時、停止要求時の３つの場合に分けて、図２〜図４にしたがって、それぞれ説明する。
【００２５】
まず、図２に基づいて、ローディング開始時の処理について説明する。ＣＤのローディングが開始されると、まず、ＣＤプレーヤでは、ＴＯＣ情報が読み込まれる（ステップＳ１０１）。次に、再生要求判別手段であるマイコン２によって、プレイ要求があったかどうかが判別される（ステップＳ１０２）。この結果、プレイ要求が無かったときには、ＣＤの回転を継続して、テキスト情報読み出し手段としてのマイコン２により、テキスト情報の読み出しが行われる（ステップＳ１０３）。そして、読み出されたテキスト情報は、テキスト情報出力手段としてのマイコン２により、光デジタル音声出力端子７からＭＤプレーヤへと送信される。
【００２６】
次に、途中で、プレイ要求がなされたかどうかが判別される（ステップＳ１０４）。プレイ要求がなされなければ、マイコン２によって、テキスト情報の読み出しに要する延長時間になったかどうかが判断される（ステップＳ１０５）。この延長時間は、ＭＤプレーヤがテキスト情報を読み出すのに充分な時間で、かつ不自然な長さにならないという条件が満たされれば、特に時間の限定はない。延長時間になっていれば、ＣＤは停止へと向かう。一方、まだ、延長時間が終了していなければ、ステップＳ１０３に戻って、テキスト情報の読み出しを継続する。また、ステップＳ１０２およびステップＳ１０４においてプレイ要求がなされれば、テキスト情報の読み出しが中止され（ステップＳ１０６）、通常の再生に戻る（ステップＳ１０７）。そして、通常の再生の後は、キー部１の操作次第となる。
【００２７】
次に、図３に基づいて、一時停止要求時の処理について説明する。ＣＤの再生が一時停止となると、まず、再生位置判別手段であるマイコン２により、直前の再生位置とテキスト情報の記録エリアとの距離が所定距離以下かどうか、具体的には、再生していた直前トラックのナンバーが、所定数以下かどうかが判別される（ステップＳ２０１）。ここでは、所定数を１とするが、これに限定されない。２あるいは３以上としても良い。テキスト情報が記録されているリードインエリアから離れた場所のトラックだと、ピックアップの移動に時間を要するので、再生要求に対して迅速に対応できない危険性がある。このため、より内側のトラックで一時停止要求を行った時のみ、テキスト情報を読み出すようにしている。
【００２８】
リードインエリアから離れたトラックを再生中に一時停止した場合には、一時停止が維持される（ステップＳ２０２）。逆に、トラックナンバー１で一時停止した場合には、テキスト情報の読み出しが行われる（ステップＳ２０３）。そして、途中でプレイ要求がされたかどうかが判別される（ステップＳ２０４）。
【００２９】
プレイ要求がない場合には、テキスト情報の読み出しが終了したかどうかが判別される（ステップＳ２０５）。この結果、終了していなければ、ステップＳ２０３に戻って、テキスト情報の読み出しが継続する。一方、テキスト情報の読み出しが終了すれば、ＣＤは停止する。また、ステップＳ２０４において、途中でプレイ要求がされれば、テキスト情報の読み出しは中止され（ステップＳ２０６）、通常の再生に戻る（ステップＳ２０７）。そして、通常の再生の後は、キー部１の操作次第となる。
【００３０】
次に、図４に基づいて、停止要求時の処理について説明する。ＣＤの再生の停止要求が指示されると、マイコン２により、テキスト情報の読み出しが行われる（ステップＳ３０１）。そして、読み出しが終了したかどうかが判別され（ステップＳ３０２）、終了していなければ、ステップＳ３０１に戻って、テキスト情報の読み出しを継続する。一方、読み出しが終了すれば、ＣＤは停止する。
【００３１】
なお、本発明は、上記の実施の形態に限定されず、本発明の要旨を逸脱しない範囲で種々の変形を可能とする。
【００３２】
例えば、音声データの非再生時期を有効利用したテキスト情報の読み出しを行うか否かを選択するスイッチを、ＣＤプレーヤに設けても良い。また、一時停止の直前トラックがどの位置であっても、テキスト情報を読み出す動作が行われるようにしても良い。
【００３３】
ただし、一時停止を解除して音声データの再生要求をした時に、タイムロスが小さいことが条件となる。したがって、ピックアップの移動速度が速いか、複数のピックアップが存在すれば、直前のトラックナンバーに依存せずに、テキスト情報を読み出すことが可能となる。また、外部表示装置は、ＭＤプレーヤに限定されず、テキスト情報を受信して、これをデコードおよび表示できる機器であれば良い。
【００３４】
このように、本発明の実施の形態によれば、ＣＤプレーヤとテキスト情報の出力先の外部表示装置との間の製品の互換性がなくても、テキスト情報を出力した音声データを楽しむことができる。特に、ポータブルＣＤプレーヤのテキスト情報に含まれている漢字情報を、デコード表示する時等に有効である。
【００３５】
【発明の効果】
本発明によれば、音声データの再生していない時間を有効利用して、テキスト情報を読み出すので、使用者に不自然さを感じさせずに済む。
【図面の簡単な説明】
【図１】  本発明に係るＣＤプレーヤの実施の形態の主な構成部を示すブロック図である。
【図２】図１のＣＤプレーヤにおいて、ローディング開始時にテキスト情報を読み出す処理の流れを示すフローチャートである。
【図３】図１のＣＤプレーヤにおいて、一時停止要求時にテキスト情報を読み出す処理の流れを示すフローチャートである。
【図４】図１のＣＤプレーヤにおいて、停止要求時にテキスト情報を読み出す処理の流れを示すフローチャートである。
【図５】ＴＯＣ情報とテキスト情報が記録されるＣＤの場所を模式的に示す図である。
【図６】専用線を介して、ＣＤプレーヤとＭＤプレーヤとの間でテキスト情報の再生指示を行う状況を説明するための図である。
【符号の説明】
２  マイコン（テキスト情報読み込み手段、テキスト情報出力手段、再生要求判別手段、再生位置判別手段を兼ねる）
【図１】
0003776662.tif 000002
【図２】
0003776662.tif 000003
【図３】
0003776662.tif 000004
【図４】
0003776662.tif 000005
【図５】
0003776662.tif 000006
【図６】
0003776662.tif 000007